(57)【要約】【課題】はえ縄漁業で混獲された海亀からはえ縄漁用の釣針をすばやくかつ安全に取り外すための器具であって、船上で使いやすく、しかも安価に製作できる器具の提供。【解決手段】鋏持面を有する細長いヘッド部とハンドル部とを備えた一対のア−ムを支軸部で回動自在に枢着してあり、両ハンドル部を片手で握ったとき各ヘッド部の鋏持面が閉着するプライヤー型の器具であって、各ヘッド部の鋏持面には釣針を挟持するための略半円筒状の窪みを鋏持面を横切って相対抗するように設けてある海亀から釣針を外すための器具。窪みの大きさを口径が３〜５ｍｍで深さ約１．０〜１．５ｍｍに形成することが好ましい。また、大きさの異なる大小２個の窪み（大きい方の窪みは口径が約５ｍｍで深さが約１．５ｍｍ、小さい方の窪みは口径が約３ｍｍで深さが約１．０ｍｍ）を並設し、ヘッド部の長さを６０〜１００ｍｍ程度、その先端の幅を１２ｍｍ程度、器具の全長を２５０〜３５０ｍｍ程度に成形することが好ましい。【選択図】  図１
0003120195.tif 000002
【実用新案登録請求の範囲】
【請求項１】
鋏持面を有する細長いヘッド部とハンドル部とを備えた一対のア−ムを支軸部で回動自在に枢着してあり、両ハンドル部を片手で握ったとき各ヘッド部の鋏持面が閉着するプライヤー型の器具であって、各ヘッド部の鋏持面には釣針を挟持するための略半円筒状の窪みを鋏持面を横切って相対抗するように設けてある海亀から釣針を外すための器具。
【請求項２】
略半円筒状の窪みの大きさを口径が３〜５ｍｍ程度で深さ１．０〜１．５ｍｍ程度に形成してある請求項１に記載する海亀から釣針を外すための器具。
【請求項３】
各ヘッド部に大きさの異なる２個の窪みを並設してある請求項１に記載する海亀から釣針を外すための器具。
【請求項４】
大きい方の窪みは口径が約５ｍｍで深さが約１．５ｍｍとし、小さい方の窪みは口径が約３ｍｍで深さが約１．０ｍｍに形成してある請求項３に記載する海亀から釣針を外すための器具。
【請求項５】
ヘッド部の長さを６０〜１００ｍｍ程度、器具の全長を２５０〜３５０ｍｍ程度に形成してある請求項１から４のいずれかに記載の海亀から釣針を外すための器具。
【請求項６】
ヘッド部の先端を、幅１２ｍｍ程度、厚さ４ｍｍ程度の矩形状に形成してある請求項１から５のいずれかに記載の海亀から釣針を外すための器具。
【考案の詳細な説明】
【技術分野】
【０００１】
本考案は、海亀から釣針を外すための器具に関する。詳しくは、はえ縄漁業などにおいて偶発的に釣獲された海亀から釣針を取り外すために用いる器具に関する。
【背景技術】
【０００２】
近年、海亀類の個体群へ影響を与える要因の一つとして、まぐろ類やかじき類などを漁獲対象とするはえ縄漁業において海亀が偶発的に釣獲されることが問題視されている。そうした中、２００４年にはえ縄漁業を含めた「漁業操業における海亀死亡削減ガイドライン」がＦＡＯ（国連食料農業機関）から示されるなど、問題解決への取り組みが世界的に動きだしている。
【０００３】
海亀は、水深４０ｍ以浅の水深帯に生息している時間が長く(Polovina,et al.,2003)、はえ縄での混獲も比較的浅い水深に仕掛けられた釣針で多く起こることが明らかになりつつある。一方で、浅い水深で釣針に掛かった海亀は海面へ浮上し、呼吸することができるため、船へ引き寄せられた時点ではほぼ全ての個体が生存している。そうした海亀を適切に取り扱い、釣針をすばやく外して放流することができれば、海亀のダメージや死亡の削減につなげることができる。また、漁業者にとっても海亀による釣針の損失は大きな問題である。このような事情から、船上において海亀から簡便に釣針を外す方法や器具の開発が求められている。
【０００４】
はえ縄漁業で用いられている釣針には各種の形状や大きさのものがあるが、その代表的な釣針を図３に示す。図３ははえ縄漁業で使用されている一般的な釣針の実物大の写真である。なお、図３において釣針の背景の枡目は１０ｍｍ単位である。図３から明らかなとおり、はえ縄漁業では、先端を鋭く尖らせ、大きく湾曲させた全長７５ｍｍ程度の釣針が使用されている。船上においてこの巨大な釣針を大きくて力が強い海亀の口中からすばやく取り外す作業は容易ではない。
【０００５】
従来の方法では、適当な器具がないため、海亀の口中の釣針に手鉤を引っ掛けたり、既成のプライヤーやペンチを使って釣針を掴むのであるが、既成のペンチやプライヤーでは先端部の長さが短く、また、釣針を確実に掴んで腕の力を伝える前に滑ってしまうことが多く、難儀を極めていた。
【０００６】
そこで、本考案者らは、船上で操作しやすく、海亀から釣針をすばやく取り外すことができる器具を開発すべく、まず公知文献を調査した。その結果、最近の魚釣りでは餌の食い込みを良くするために小さな釣針を用いる傾向を反映し、最近の公開公報には、魚が釣針を喉の奥深くまで呑み込んでいる場合の釣針の取り外し器具ばかりが開示されていて、海亀やサメ類などの大型生物やはえ縄漁業で用いるような大きな釣針を対象とする釣針取り外し器具は未だ開示されていないことが判明した。
【特許文献１】実開平５−８８２７６号公報
【特許文献２】実用新案登録第３０９２９９０号公報
【特許文献３】実用新案登録第３１１２６３９号公報
【特許文献４】特開２００２−１７２２０号公報
【非特許文献１】EXPERIMENTS IN THE WESTERN ATLANTIC NORTHEAST DISTANT WATERSTO EVALUATE SEA TURTLE MITIGATION MEASURES IN THE PELAGIC LONGLINE FISHERY /REPORT ON EXPERIMENTS CONDUCTED IN 2001 and 2002 / March 5, 2003/ John W.Watson,Daniel G, Foster,Sheryan Epperly,and Arvid Shah / U.S.Department of Commerce /National Oceanic and Atomospheric Administration / NOAA Fisheries
【０００７】
すなわち、特許文献１にはペンチの先を凹凸にした釣針外しペンチについて開示されている。この器具は、魚の喉に掛かった釣針を外すために、先長ペンチの先を凹凸にして、凹の部分の溝で釣針を捕らえ、凸の部分の山で釣針を押さえて取り外す仕組みのものであるが、片手で掴んで操作する程度の大きさの魚が対象であると思われ、大きくて力が強い海亀に適用できる器具ではない。
【０００８】
特許文献２には、釣り上げた魚の口から釣り針を外したり、その他の作業をする場合に用いる釣り用プライヤーについて開示されてある。この器具は、挟持部の両挟持面に傾斜した多数の溝を形成して、釣針や釣糸を挟んだときに横滑りがなく十分な挟持力が得られるようにしたものである。しかし、この器具も普通の大きさの魚を対象とするものであって、海亀やサメ類のような大きくて力が強い生物に適用できる器具ではない。
【０００９】
特許文献３には、魚が釣針を奥深く呑み込んでいる場合の釣針外し器具について開示されてあり、特許文献４には、釣り具用プライヤーについて開示されているが、どちらも、はえ縄で用いている大きな釣針に適用できるものではない。
【００１０】
また、これまでにも、海亀用の釣針外し器が米国の研究グループによって開発されている(Waston et al.,2002)。この米国式海亀外し器は、非特許文献１に開示されているが、把持棒の先に先端を知恵の輪のように丸く成形した金具（円形部分の直径で約４５ｍｍ）を取り付けたものである。本考案者らは、この器具を試用してみたが、使いやすいとは言い難いもので、その取り扱いにはかなりの熟練を要することが判明した。すなわち、海亀はあごの力が強いため、くちばしを開けさせて、この大きな「知恵の輪」を釣針に通すだけでも大変な作業となる。また、たとえ釣針に通すことができても、腕の力がうまく釣針へ伝わらないため、釣針をすばやく取り外すことは困難である。その上、この米国式の器具はかなり高価なものである。
【００１１】
このような状況に鑑み、本考案者らは、プライヤーのような形状であって、釣針をしっかりと掴むことができ、かつ、十分な長さと強度を有し、シンプルで使いやすい海亀用の釣針外し器を独力で開発することとし、各種の器具の試作・試用を繰り返した結果、ようやくにして本考案を完成するに至った。
【考案の開示】
【考案が解決しようとする課題】
【００１２】
上記の状況に鑑み、本考案は、海亀からはえ縄漁用の釣針をすばやくかつ安全に取り外すことができる器具であって、船上で使いやすく、しかも安価に製作できる器具を提供することを課題とする。
【課題を解決するための手段】
【００１３】
上記課題を解決するための本考案のうち実用新案登録請求の範囲・請求項１に記載する考案は、鋏持面を有する細長いヘッド部とハンドル部とを備えた一対のア−ムを支軸部で回動自在に枢着してあり、両ハンドル部を片手で握ったとき各ヘッド部の鋏持面が閉着するプライヤー型の器具であって、各ヘッド部の鋏持面には釣針を挟持するための略半円筒状の窪みを鋏持面を横切って相対抗するように設けてある海亀から釣針を外すための器具である。
【００１４】
また、同請求項２に記載する考案は、略半円筒状の窪みの大きさを口径が３〜５ｍｍ程度で深さ１．０〜１．５ｍｍ程度に形成してある請求項１に記載する海亀から釣針を外すための器具である。
【００１５】
また、同請求項３に記載する考案は、各ヘッド部に大きさの異なる２個の窪みを並設してある請求項１に記載する海亀から釣針を外すための器具である。
【００１６】
また、同請求項４に記載する考案は、大きい方の窪みは口径が約５ｍｍで深さが約１．５ｍｍとし、小さい方の窪みは口径が約３ｍｍで深さが約１．０ｍｍに形成してある請求項３に記載する海亀から釣針を外すための器具である。
【００１７】
また、同請求項５に記載する考案は、ヘッド部の長さを６０〜１００ｍｍ程度、器具の全長を２５０〜３５０ｍｍ程度に形成してある請求項１から４のいずれかに記載の海亀から釣針を外すための器具である。
【００１８】
また、同請求項６に記載する考案は、ヘッド部の先端を、幅１２ｍｍ程度、厚さ４ｍｍ程度の矩形状に形成してある請求項１から５のいずれかに記載の海亀から釣針を外すための器具である。
【考案の効果】
【００１９】
本考案に係る海亀から釣針を外すための器具は、上記の構成であるから、ヘッド部に設けた窪みで釣針を確実に掴むことができ、押しても引っ張っても滑らないように釣針を固定するので、海亀から釣針を外す際に作業者の力を直接的に釣針に伝えることができる。そのため、本考案に係る海亀から釣針を外すための器具は、船上でも使いやすく、片手で把持したまま、すばやくかつ容易に釣針を取り外すことができ、そのため、海亀に与えるダメージが少ない。このようにして再放流した海亀の生残率はより向上するものと考えられる。また、作業者にとっても作業の負担を軽減できる。
【００２０】
さらに、本考案に係る海亀から釣針を外すための器具は、全長を長くしてあるため、海亀の噛みつきから作業者を守ることができ、安全性が高い。さらに、本考案に係る海亀から釣針を外すための器具は、シンプルな形状であるから、安価に製造できるため、漁業者への普及が容易である。さらに、本考案に係る海亀から釣針を外すための器具は、海亀から釣針を回収できるので、釣針の損失による漁業者の負担を軽減できる。
【００２１】
一見すると、この海亀から釣針を外すための器具は、些細な開発のように見えるが、上記のような海亀の死亡削減や作業者の作業負担軽減から、ひいてはＦＡＯの「漁業操業における海亀死亡削減ガイドライン」遵守への一助となることが期待される。
【考案を実施するための最良の形態】
【００２２】
本考案に係る海亀から釣針を外すための器具は、ヤットコ（奴床）の先端に釣針を掴むための半円筒状の窪み（溝）を彫っただけとも言えるシンプルな形状であり、プライヤー型の器具である。本考案において「プライヤー型」というのは、プライヤー、ペンチ、ヤットコ、ニッパーなどの「挟み込み式把持器具」の総称である。すなわち、本考案に係る海亀から釣針を外すための器具は、プライヤー、ペンチ、ヤットコ、ニッパーなどを適宜に改良して作ることができる。
【００２３】
本考案に係る海亀から釣針を外すための器具は、ヘッド部が細すぎたり短すぎると、釣針をしっかり掴むことができない。そのため、プライヤー型と言っても、ロングラジオペンチのような先端部が細い器具は不適である。やはり、ヘッド部の長さは、最低６０ｍｍ以上、好ましくは６０〜１００ｍｍ程度とし、器具の全長は２５０ｍｍ〜３００ｍｍ程度の大きさにするのが好ましい。また、ヘッド部の先端は、海亀の口径を考慮すると、幅１２ｍｍ程度、厚さ４ｍｍ程度の矩形状に形成することが好ましい。
【００２４】
はえ縄漁業では、すでに説明したとおり、大小さまざまな釣針が使用されているが、その直径は概ね３〜５ｍｍの範囲に納まる。そのため、大小２種類の窪みを備えた器具を用いると、どちらかの窪みで、大概の釣針を確実に把持することができる。特に、一方の窪みの口径を約３ｍｍ、深さを約１．０ｍｍとし、他方の窪みの口径を約５ｍｍ、深さを約１．５ｍｍに成形すると、きわめて便利である。しかしながら、略半円筒状の窪みは必ず２個設ける必要はなく、１個で十分なこともある。また、窪みの大きさも上記の寸法に限定するものではない。
【００２５】
海亀にはアカウミガメ、アオウミガメ、タイマイ、ヒメウミガメ、オサガメなどの種類がある。日本近海においてはえ縄で混獲されるアカウミガメは甲羅の縦方向の長さ（直甲長）が６０〜８０ｃｍ、体重は４０〜７０ｋｇ程度である。オサガメに関しては直甲長２００ｃｍ以上、体重５００ｋｇ以上のものも報告されている。海亀には彷徨性があり、沖縄近海で放流したアカウミガメが日本各地で捕獲され、遠くはアメリカ西海岸やサンディエゴでも捕獲されたという記録がある（１９８７年）。海亀は鳥類のようにくちばしを持っているため、噛まれると大怪我につながる。個体によっては凶暴性の強いものもいるので、作業は慎重かつ迅速に進める必要がある。
【００２６】
このような性状の海亀がはえ縄漁の釣針に引っ掛かる原因には、海亀がはえ縄の餌料を食べてしまうケースと海亀が遊泳中に偶発的に引っ掛かってしまうケースとがある。本考案に係る海亀から釣針を外すための器具を用いると、海亀のあごや口内に引っ掛かっている釣針は全て外すことがきる。以下、本考案に係る海亀から釣針を外すための器具の実施例を図面に基づいて詳しく説明する。
【実施例１】
【００２７】
図１は、本考案に係る海亀から釣針を外すための器具の一実施例の説明図であり、図２は、その寸法の説明図である。図１において、１と２は、それぞれ同じ大きさで対照形状に成形してある一対の鋼鉄製のアームである。まずアーム１について説明すると、アーム１はヘッド部11とハンドル部12からなり、ヘッド部11とハンドル部12は一体成形であるがＳ字状に湾曲させてある。ヘッド部11は平坦な鋏持面13を備えている。また、鋏持面13には、これを横切って大小２個の半円筒状の窪み14・15が形成されている。アーム２についても同様であって、アーム２はヘッド部21とハンドル部22からなり、ヘッド部21とハンドル部22は一体成形であるがＳ字状に湾曲させてある。ヘッド部21は平坦な鋏持面23を備えている。また、鋏持面23には、これを横切って大小２個の半円筒状の窪み24・25が形成されている。
【００２８】
図１に示すように、アーム１とアーム２をそれぞれ重ね合わせて支軸部３で回動自在に枢着すると、本実施例の海亀から釣針を取り外すための器具（以下「海亀用釣針外し器」と記すことがある。）が出来上がる。このように、本実施例の海亀用釣針外し器は、プライヤーと略同様の形状のものである。すなわち、本実施例の海亀用釣針外し器のハンドル部12・22を片手に把持して握りしめると、支軸部３を軸芯としてヘッド部11・21が回動してその鋏持面13・23を密着させて閉止する。このとき、鋏持面13・23には対抗する半円筒状の窪み14・24と同15・25によって大小２個の円筒状の窪みが形成される。
【００２９】
本実施例の海亀用釣針外し器は、図２に示すように、アーム１の全長（ヘッド部11の先端からハンドル部12の後端まで）は約３００ｍｍであり、そのうちヘッド部の長さは約６０ｍｍである。さらに、半円筒状の小さい方の窪みの寸法は口径が約３ｍｍで深さ約１．０ｍｍ、半円筒状の大きい方の窪みの寸法は口径が約５ｍｍで深さ約１．５ｍｍに形成してある。また、ヘッド部の先端は、幅が約１２ｍｍで厚さが約４ｍｍの矩形状に成形してある。
【００３０】
上記実施例１の海亀用釣針外し器では、ヘッド部の鋏持面に寸法の異なる円筒状の窪みを２個並設したが、同じ寸法の窪みを２個設けてもよく、また、窪みの数は２個に限るものではなく、１個でも、３個以上でも差し支えない。また、器具の寸法や窪みの大きさも実施例１の寸法や大きさに限るものではなく、例えば、全長を３５０ｍｍ程度にしても差し支えない。さらに、実施例１の海亀用釣針外し器は、プライヤーと略同じ形状に成形したが、本考案に係る海亀用釣針外し器はそれに限るものではなく、例えば、ヤットコに近い形状にしても何ら差し支えない。
【００３１】
次に、はえ縄操業中に釣針に引っ掛かった海亀を捕獲したとき、本考案に係る海亀用釣針外し器（本器具）を使用して海亀の口中から釣針を取り外す手順について説明する。
（イ）海亀を船上に引き上げて、押さえつける。暴れたり、歩き回ろうとする個体は仰向けに引っ繰り返して押さえつけることがある。
（ロ）海亀の口を開けさせて本器具を挿入する。素直に口を開けないときや釣針の位置が口中の奥のときは、棒状のようなものを海亀の口に噛ませる。
（ハ）本器具の窪みに釣針を挟み込み、少し押し込んでから引き抜く。実施例１のように大小２個の窪みを備えた器具を用いると、釣針の直径に応じて適切に保持できる方の窪みを選んで、釣針を把持できるので便利である。
（ニ）釣針を取り除いた後、適切に海亀を海へ開放する。
【００３２】
《試験例１》
＜実施例１の海亀用釣針外し器の試用＞
２００５年８月から９月にかけて、調査船「くろさき」による日本近海におけるマグロはえ縄混獲調査において、釣針に掛かった５頭のアカウミガメに対して実施例１の海亀用釣針外し器を試用した。その結果、これまでと比べものにならないくらい、簡単に釣針を外すことができた。５頭全部について、器具の窪みが確実に釣針を掴み、滑らないので、上下前後左右と思ったとおりの方向に力を伝えることができた。
【産業上の利用可能性】
【００３３】
以上詳しく説明したとおり、本考案に係る海亀から釣針を外すための器具は、海亀の口部などに引っ掛かった釣針をすばやくかつ容易に取り外すことができるので、海亀を生きた状態で再放流することができる。また、海亀の噛みつきから作業者を安全に守ることができる。また、本考案に係る海亀から釣針を外すための器具は、簡単な構造であるため、安価に製造又は改良できるので、漁業者への普及が容易である。また、釣針の損失を軽減することができる。さらに、本考案に係る海亀から釣針を外すための器具は、海亀だけでなく、海亀と同様にはえ縄操業中に捕獲されるサメ類などから釣針を外す作業にも使用できる。このように、本考案に係る海亀から釣針を外すための器具は、漁業者の作業性及び安全性のさらなる向上に大いに寄与できるものと期待される。
【図面の簡単な説明】
【００３４】
【図１】本考案に係る海亀から釣針を外すための器具の一実施例の説明図
【図２】実施例１の器具の寸法の説明図
【図３】はえ縄漁業で使用されている一般的な釣針の実物大の写真
【符号の説明】
【００３５】
１・２：それぞれ同じ大きさで対照形状に成形してある一対の鋼鉄製のアーム
11：ア−ム１のヘッド部、
12：ア−ム１のハンドル部
13：ア−ム１の鋏持面、
14：鋏持面13に設けた小さい方の半円筒状の窪み
15：鋏持面13に設けた大きい方の半円筒状の窪み
21：ア−ム２のヘッド部
12：ア−ム２のハンドル部
23：ア−ム２の鋏持面、
24：鋏持面23に設けた小さい方の半円筒状の窪み
25：鋏持面23に設けた大きい方の半円筒状の窪み
３：支軸部
【図１】
0003120195.tif 000003
【図２】
0003120195.tif 000004
【図３】
0003120195.tif 000005